【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
スケジューリングエンティティにおいて動作可能なワイヤレス通信の方法であって、
スケジューリング対象エンティティとのワイヤレス通信のためのスケジューリングされたリソースとしてリソースのセットを割り振るステップと、
連続プリコーディングが前記スケジューリングされたリソースに適用されるかどうかを決定するステップと、
連続プリコーディングが前記スケジューリングされたリソースに適用されない場合、プリコーダ以外の、前記スケジューリングされたリソースのための1つまたは複数の送信パラメータを、第1の構成を用いて構成するステップと、
連続プリコーディングが前記スケジューリングされたリソースに適用される場合、前記プリコーダ以外の、前記スケジューリングされたリソースのための前記1つまたは複数の送信パラメータを、前記第1の構成とは異なる第2の構成を用いて構成するステップと、
前記スケジューリングされたリソース上のワイヤレス信号を利用して、前記スケジューリング対象エンティティと通信するステップと
を備える方法。
【請求項２】
i)前記スケジューリングされたリソースのための前記1つまたは複数の送信パラメータのうちの少なくとも1つの指示を備える制御情報を前記スケジューリング対象エンティティに送信するステップをさらに備えること、
ii)連続プリコーディングが前記スケジューリングされたリソースに適用されるかどうかを決定する前記ステップが、
スケジューリング対象エンティティから受信された、連続プリコーディングを適用するという要求に応答して、連続プリコーディングを前記スケジューリングされたリソースに適用すると決定するステップを備えること、
iii)連続プリコーディングが前記スケジューリングされたリソースに適用されるかどうかを決定する前記ステップが、前記スケジューリングされたリソースのセットが2つ以上のリソースブロックの隣接クラスタを備え、前記クラスタが最小しきい値帯域幅よりも大きい帯域幅を有するとき、連続プリコーディングを前記スケジューリングされたリソースに適用すると決定するステップを備えること、
iv)連続プリコーディングが前記スケジューリングされたリソースに適用されるかどうかを決定する前記ステップが、前記スケジューリングされたリソースのセットが1つまたは複数のリソースブロックの非隣接クラスタを備えるとき、連続プリコーディングを前記スケジューリングされたリソースに適用しないと決定するステップを備えること、または、
v)連続プリコーディングが前記スケジューリングされたリソースに適用されるかどうかを決定する前記ステップが、前記スケジューリングされたリソースのセットが2つ以上のリソースブロックのクラスタを備え、前記クラスタが最小しきい値帯域幅以下の帯域幅を有するとき、連続プリコーディングを前記スケジューリングされたリソースに適用しないと決定するステップを備えること
のうちの1つをさらに備える、請求項1に記載の方法。
【請求項３】
前記第1の構成については、前記制御情報が、
第1のトランスポートブロックサイズ(TBS)制限、
第1のチャネル状態フィードバック(CSF)粒度、
第1の周波数領域パイロット密度、またはそれらの組合せ
のうちの1つまたは複数を備え、
前記第2の構成については、前記制御情報が、
前記第1のTBS制限とは異なる第2のTBS制限、
前記第1のCSF粒度とは異なる第2のCSF粒度、
前記第1の周波数領域パイロット密度とは異なる第2の周波数領域パイロット密度、またはそれらの組合せ
のうちの1つまたは複数を備える、
請求項2の選択肢i)に記載の方法。
【請求項４】
前記スケジューリングされたリソースのサブキャリア間隔、
前記スケジューリングエンティティにおけるまたは前記スケジューリング対象エンティティにおけるアンテナの数、
システム帯域幅、
リソースブロック粒度、
前記スケジューリング対象エンティティの能力またはカテゴリ、
前記スケジューリング対象エンティティからの要求または勧告、あるいはそれらの組合せ
のうちの1つまたは複数に基づいて、前記最小しきい値帯域幅を決定するステップをさらに備える、請求項2の選択肢iii)に記載の方法。
【請求項５】
スケジューリング対象エンティティにおいて動作可能なワイヤレス通信の方法であって、
2つ以上のリソースブロックのクラスタを備えるスケジューリングされたリソースを利用して、スケジューリングエンティティと通信するステップと、
連続プリコーディングが前記スケジューリングされたリソースに適用されるかどうかを決定するステップと、
連続プリコーディングが前記スケジューリングされたリソースに適用されない場合、1つまたは複数の送信パラメータの第1のセットに基づいてチャネル推定値を生成するステップと、
連続プリコーディングが前記スケジューリングされたリソースに適用される場合、1つまたは複数の送信パラメータの第2のセットに基づいて前記チャネル推定値を生成するステップと、
前記チャネル推定値に基づいてチャネル状態フィードバック(CSF)を送信するステップと
を備える方法。
【請求項６】
i)連続プリコーディングが前記スケジューリングされたリソースに適用されるかどうかの明示的指示を備えるダウンリンク制御情報を受信するステップをさらに備えること、
ii)連続プリコーディングが前記スケジューリングされたリソースに適用されるかどうかを決定する前記ステップが、前記スケジューリングされたリソースの構成に基づいて、連続プリコーディングが適用されるかどうかを決定するステップを備えること、
iii)前記1つまたは複数の送信パラメータの第1のセットが、
第1のCSF粒度、
第1の周波数領域パイロット密度、またはそれらの組合せ
を備え、
前記1つまたは複数の送信パラメータの第2のセットが、
前記第1のCSF粒度よりも大きい第2のCSF粒度、
前記第1の周波数領域パイロット密度よりも低い第2の周波数領域パイロット密度、またはそれらの組合せを備えること、または、
iv)前記スケジューリングされたリソースの複数の領域の各々のためのチャネル状態情報を生成するステップをさらに備え、
前記複数の領域が、スケジューリング対象エンティティのマルチユーザ多入力多出力(MU-MIMO)ペアリングが変化しない領域に対応し、
前記CSFが、前記複数の領域の各々のための前記チャネル状態情報を備えること
のうちの1つをさらに備える、請求項5に記載の方法。
【請求項７】
連続プリコーディングが前記スケジューリングされたリソースに適用されるかどうかを決定する前記ステップが、前記クラスタの中の前記2つ以上のリソースブロックが隣接する場合、かつ前記クラスタが最小しきい値帯域幅よりも大きい帯域幅を有する場合、連続プリコーディングが前記スケジューリングされたリソースに適用されると決定するステップを備える、または、
連続プリコーディングが前記スケジューリングされたリソースに適用されるかどうかを決定する前記ステップが、前記クラスタの中の前記2つ以上のリソースブロックが隣接しない場合かつ/あるいは前記クラスタが最小しきい値帯域幅以下の帯域幅を有する場合、連続プリコーディングが前記スケジューリングされたリソースに適用されないと決定するステップを備える、請求項6の選択肢i)に記載の方法。
【請求項８】
スケジューリング対象エンティティのMIMOペアリングが変化しない前記領域の境界を備えるダウンリンク制御情報(DCI)を受信するステップをさらに備える、請求項7の選択肢iv)に記載の方法。
【請求項９】
ワイヤレス通信のために構成されたスケジューリングエンティティであって、
プロセッサと、
前記プロセッサに通信可能に結合されたメモリと、
前記プロセッサに通信可能に結合されたトランシーバと
を備え、
前記プロセッサが、
スケジューリング対象エンティティとのワイヤレス通信のためのスケジューリングされたリソースとしてリソースのセットを割り振り、
連続プリコーディングが前記スケジューリングされたリソースに適用されるかどうかを決定し、
連続プリコーディングが前記スケジューリングされたリソースに適用されない場合、プリコーダ以外の、前記スケジューリングされたリソースのための1つまたは複数の送信パラメータを、第1の構成を用いて構成し、
連続プリコーディングが前記スケジューリングされたリソースに適用される場合、前記プリコーダ以外の、前記スケジューリングされたリソースのための前記1つまたは複数の送信パラメータを、前記第1の構成とは異なる第2の構成を用いて構成し、
前記トランシーバを介して、前記スケジューリングされたリソース上のワイヤレス信号を利用して、前記スケジューリング対象エンティティと通信する
ように構成される、スケジューリングエンティティ。
【請求項１０】
i)前記プロセッサが、
前記トランシーバを介して、前記スケジューリングされたリソースのための前記1つまたは複数の送信パラメータのうちの少なくとも1つの指示を備える制御情報を前記スケジューリング対象エンティティに送信するようにさらに構成されること、
ii)前記プロセッサが、
前記トランシーバを介して、前記スケジューリングされたリソースのための前記1つまたは複数の送信パラメータのうちの少なくとも1つの指示を備える制御情報を前記スケジューリング対象エンティティに送信するようにさらに構成され、
前記第1の構成については、前記制御情報が、
第1のトランスポートブロックサイズ(TBS)制限、
第1のチャネル状態フィードバック(CSF)粒度、
第1の周波数領域パイロット密度、またはそれらの組合せ
のうちの1つまたは複数を備え、
前記第2の構成については、前記制御情報が、
前記第1のTBS制限とは異なる第2のTBS制限、
前記第1のCSF粒度とは異なる第2のCSF粒度、
前記第1の周波数領域パイロット密度とは異なる第2の周波数領域パイロット密度、またはそれらの組合せ
のうちの1つまたは複数を備えること、または、
iii)連続プリコーディングが前記スケジューリングされたリソースに適用されるかどうかを決定するように構成された前記プロセッサが、
スケジューリング対象エンティティからの連続プリコーディングを適用するという要求の受信、
前記スケジューリングされたリソースのセットが2つ以上のリソースブロックの隣接クラスタを備え、前記クラスタが最小しきい値帯域幅よりも大きい帯域幅を有するとの決定、あるいはそれらの組合せ
に応答して、連続プリコーディングを前記スケジューリングされたリソースに適用すると決定するようにさらに構成されること
のうちの1つをさらに備える、請求項9に記載のスケジューリングエンティティ。
【請求項１１】
i)前記プロセッサが、
前記スケジューリングされたリソースのサブキャリア間隔、
前記スケジューリングエンティティにおけるまたは前記スケジューリング対象エンティティにおけるアンテナの数、
システム帯域幅、
リソースブロック粒度、
前記スケジューリング対象エンティティの能力またはカテゴリ、あるいは
前記スケジューリング対象エンティティからの要求または勧告
のうちの1つまたは複数に基づいて、前記最小しきい値帯域幅を決定するようにさらに構成される、または、
ii)前記プロセッサが、
前記スケジューリングされたリソースのセットが1つまたは複数のリソースブロックの非隣接クラスタを備えるとの決定、
前記スケジューリングされたリソースのセットが2つ以上のリソースブロックのクラスタを備え、前記2つ以上のリソースブロックのクラスタが前記最小しきい値帯域幅以下の帯域幅を有するとの決定、あるいはそれらの組合せ
に応答して、連続プリコーディングを前記スケジューリングされたリソースに適用しないと決定するようにさらに構成される、請求項10の選択肢iii)に記載のスケジューリングエンティティ。
【請求項１２】
ワイヤレス通信のために構成されたスケジューリング対象エンティティであって、
プロセッサと、
前記プロセッサに通信可能に結合されたメモリと、
前記プロセッサに通信可能に結合されたトランシーバと
を備え、
前記プロセッサが、
前記トランシーバを介して、2つ以上のリソースブロックのクラスタを備えるスケジューリングされたリソースを利用して、スケジューリングエンティティと通信し、
連続プリコーディングが前記スケジューリングされたリソースに適用されるかどうかを決定し、
連続プリコーディングが前記スケジューリングされたリソースに適用されない場合、1つまたは複数の送信パラメータの第1のセットに基づいてチャネル推定値を生成し、
連続プリコーディングが前記スケジューリングされたリソースに適用される場合、1つまたは複数の送信パラメータの第2のセットに基づいて前記チャネル推定値を生成し、
前記トランシーバを介して、前記チャネル推定値に基づいてチャネル状態フィードバック(CSF)を送信する
ように構成される、スケジューリング対象エンティティ。
【請求項１３】
i)前記プロセッサが、
前記トランシーバを介して、連続プリコーディングが前記スケジューリングされたリソースに適用されるかどうかの明示的指示を備えるダウンリンク制御情報を受信するようにさらに構成されること、
ii)連続プリコーディングが前記スケジューリングされたリソースに適用されるかどうかを決定するように構成された前記プロセッサが、前記スケジューリングされたリソースの構成に基づいて、連続プリコーディングが適用されるかどうかを決定するようにさらに構成されること、
iii)前記1つまたは複数の送信パラメータの第1のセットが、
第1のCSF粒度と、
第1の周波数領域パイロット密度と
を備え、
前記1つまたは複数の送信パラメータの第2のセットが、
前記第1のCSF粒度よりも大きい第2のCSF粒度と、
前記第1の周波数領域パイロット密度よりも低い第2の周波数領域パイロット密度と
を備えること、または、
iv)前記プロセッサが、前記スケジューリングされたリソースの複数の領域の各々のためのチャネル状態情報を生成するようにさらに構成され、
前記複数の領域が、スケジューリング対象エンティティのマルチユーザ多入力多出力(MU-MIMO)ペアリングが変化しない領域に対応し、
前記CSFが、前記複数の領域の各々のための前記チャネル状態情報を備えること
のうちの1つをさらに備える、請求項12に記載のスケジューリング対象エンティティ。
【請求項１４】
i)連続プリコーディングが前記スケジューリングされたリソースに適用されるかどうかを決定するように構成された前記プロセッサが、
前記クラスタの中の前記2つ以上のリソースブロックが隣接する場合、かつ前記クラスタが最小しきい値帯域幅よりも大きい帯域幅を有する場合、連続プリコーディングが前記スケジューリングされたリソースに適用されると決定するようにさらに構成される、または、
ii)連続プリコーディングが前記スケジューリングされたリソースに適用されるかどうかを決定するように構成された前記プロセッサが、
前記クラスタの中の前記2つ以上のリソースブロックが隣接しないと決定すること、
前記クラスタが最小しきい値帯域幅以下の帯域幅を有すると決定すること、あるいはそれらの組合せ
に基づいて、連続プリコーディングが前記スケジューリングされたリソースに適用されないと決定するようにさらに構成される、請求項13の選択肢ii)に記載のスケジューリング対象エンティティ。
【請求項１５】
前記プロセッサが、前記トランシーバを介して、スケジューリング対象エンティティのMIMOペアリングが変化しない前記領域の境界を備えるダウンリンク制御情報(DCI)を受信するようにさらに構成される、請求項13の選択肢iv)に記載のスケジューリング対象エンティティ。